(57)【要約】【課題】中継装置において、消費電力を低減できることを目的とする。【解決手段】基地局と移動局間の信号を無線で中継する中継装置において、基地局から移動局への下りリンクの信号を増幅する下りリンク増幅手段と、移動局から基地局への上りリンクの信号を増幅する上りリンク増幅手段と、移動局を呼出すための呼出し信号に対して移動局が応答する呼出し応答信号を検出する呼出し応答信号検出手段と、呼出し応答信号検出手段で呼出し応答信号を検出した場合に下りリンク増幅手段と上りリンク増幅手段の増幅制御を開始する増幅制御手段と、を有する。【選択図】    図３
2010226655.tif 000002
【特許請求の範囲】
【請求項１】
基地局と移動局間の信号を無線で中継する中継装置において、
前記基地局から前記移動局への下りリンクの信号を増幅する下りリンク増幅手段と、
前記移動局から前記基地局への上りリンクの信号を増幅する上りリンク増幅手段と、
移動局を呼出すための呼出し信号に対して移動局が応答する呼出し応答信号を検出する呼出し応答信号検出手段と、
前記呼出し応答信号検出手段で呼出し応答信号を検出した場合に前記下りリンク増幅手段と前記上りリンク増幅手段の増幅制御を開始する増幅制御手段と、
を有することを特徴とする中継装置。
【請求項２】
請求項１記載の中継装置において、
前記移動局を呼出すための呼出し信号を含む報知信号を検出する報知信号検出手段を有し、
前記増幅制御手段は、検出した報知信号の情報に基づいて、前記呼出し信号の受信タイミングで前記下りリンク増幅手段を動作させ、前記呼出し応答信号の受信タイミングで前記上りリンク増幅手段を動作させる
ことを特徴とする中継装置。
【請求項３】
請求項２記載の中継装置において、
上りリンクのデータ信号又はデータ受信応答信号を検出するデータ／応答検出手段を有し、
前記増幅制御手段は、前記上りリンクのデータ信号又はデータ受信応答信号の検出が終了したとき前記下りリンク増幅手段と前記上りリンク増幅手段の増幅動作を停止させる
ことを特徴とする中継装置。
【請求項４】
請求項３記載の中継装置において、
前記データ／応答検出手段が前記上りリンクのデータ信号又はデータ受信応答信号の検出が終了してからの期間を計時する計時手段を有し、
前記増幅制御手段は、前記計時手段で計時した期間が所定期間を超えたとき前記下りリンク増幅手段と前記上りリンク増幅手段の増幅動作を停止させる
ことを特徴とする中継装置。
【請求項５】
請求項３又は４記載の中継装置において、
前記呼出し応答信号検出手段で検出した呼出し応答信号から抽出した該呼出し応答信号を送信した移動局の識別子を保持する保持手段を有し、
前記増幅制御手段は、前記呼出し応答信号を送信した移動局の識別子が複数回連続して同一であるとき前記下りリンク増幅手段と前記上りリンク増幅手段の増幅動作を開始させることを特徴とする中継装置。
【請求項６】
基地局から移動局への下りリンクの信号を下りリンク増幅手段で増幅し、前記移動局から前記基地局への上りリンクの信号を上りリンク増幅手段で増幅して、前記基地局と前記移動局間の信号を無線で中継する中継方法であって、
移動局を呼出すための呼出し信号に対して移動局が応答する呼出し応答信号を検出し、
前記呼出し応答信号を検出した場合に、前記下りリンク増幅手段と前記上りリンク増幅手段の増幅制御を開始する
ことを特徴とする中継方法。
【請求項７】
請求項６記載の中継方法において、
前記移動局を呼出すための呼出し信号を含む報知信号を検出し、
検出した報知信号の情報に基づいて、前記呼出し信号の受信タイミングで前記下りリンク増幅手段を動作させ、前記呼出し応答信号の受信タイミングで前記上りリンク増幅手段を動作させる
ことを特徴とする中継方法。
【発明の詳細な説明】
【技術分野】
【０００１】
本発明は、基地局と移動局間の信号を無線で中継する中継方法及び中継装置に関する。
【背景技術】
【０００２】
移動通信システムでは、無線基地局と移動局間の信号を無線で中継する中継装置を用いる場合がある。例えば不感地帯対策として、ＲＦ直接増幅方式（ＡＦ：Ａｍｐｌｉｆｙ−ａｎｄ−Ｆｏｒｗａｒｄとも呼ばれる）の中継装置が実用化されている。この中継装置が設置される不感地帯としては、例えばセル端部、セル内密集地域、地下街、トンネル等が挙げられる。
【０００３】
なお、通信装置がマルチホップによって基地局と接続する方法については、従来から提案がなされている（例えば特許文献１参照）。
【先行技術文献】
【特許文献】
【０００４】
【特許文献１】特開２００６−２５４１５５号公報
【発明の概要】
【発明が解決しようとする課題】
【０００５】
従来の中継装置は、当該装置の中継エリアに、移動局が存在しないときであっても、常時、中継増幅動作を行っている。このため、中継装置の消費電力が大きくなり、また、他セルへの干渉のおそれがあるという問題があった。
【０００６】
開示の中継装置は、消費電力を低減できることを目的とする。
【課題を解決するための手段】
【０００７】
開示の一実施形態による中継装置は、基地局と移動局の信号を無線で中継する中継装置において、
前記基地局から前記移動局への下りリンクの信号を増幅する下りリンク増幅手段と、
前記移動局から前記基地局への上りリンクの信号を増幅する上りリンク増幅手段と、
移動局を呼出すための呼出し信号に対して移動局が応答する呼出し応答信号を検出する呼出し応答信号検出手段と、
前記呼出し応答信号検出手段で呼出し応答信号を検出した場合に前記下りリンク増幅手段と前記上りリンク増幅手段の増幅制御を開始する増幅制御手段と、を有する。
【発明の効果】
【０００８】
本実施形態によれば、消費電力を低減することができる。
【図面の簡単な説明】
【０００９】
【図１】移動通信システムにおける中継方法の一実施形態を説明するためのシステム構成図である。
【図２】移動通信システムにおける中継方法の一実施形態を説明するためのシステム構成図である。
【図３】中継装置の第１実施形態のブロック図である。
【図４】ページング応答検出時の信号タイミングチャートの第１実施形態を示す図である。
【図５】ページング応答非検出時の信号タイミングチャートの第１実施形態を示す図である。
【図６】ページング応答検出から増幅停止までの信号タイミングチャートの第１実施形態を示す図である。
【図７】中継装置が実行する増幅制御動作の一実施形態のフローチャートを示す図である。
【図８】中継装置の第２実施形態のブロック図である。
【図９】ページング応答検出から増幅停止までの信号タイミングチャートの第２実施形態を示す図である。
【図１０】中継装置の第３実施形態のブロック図である。
【図１１】ページング応答検出から増幅停止までの信号タイミングチャートの第３実施形態を示す図である。
【発明を実施するための形態】
【００１０】
以下、図面に基づいて実施形態を説明する。
【００１１】
＜移動通信システムのシステム構成図＞
図１及び図２は、移動通信システムにおける中継方法の一実施形態を説明するためのシステム構成図を示す。この実施形態では、無線基地局と移動局との間において、ＬＴＥ（Ｌｏｎｇ  Ｔｅｒｍ  Ｅｖｏｌｕｔｉｏｎ）による無線通信を行うシステムを例にとって説明する。
【００１２】
図１において、無線基地局（ｅＮＢ：ｅｖｏｌｖｕｄ  Ｎｏｄｅ  Ｂ）１０は、セル１１内に在圏する移動局（ＵＥ：Ｕｓｅｒ  Ｅｑｕｉｐｍｅｎｔ）と無線接続して通信を行う。セル１１内の例えばセル端部、セル内密集地域、地下街、トンネル等の不感地帯には中継装置１２，１３が設置されている。中継装置１２，１３それぞれは中継エリア１４，１５内に在圏する移動局と無線基地局１０との間の無線通信を例えばＲＦ直接増幅方式にて中継する。図１においては、中継装置１２の中継エリア１４に在圏する移動局はなく、中継装置１３の中継エリア１５に移動局１６が在圏する場合を示している。
【００１３】
無線基地局１０は、セル１１内に在圏する移動局１６に対する着呼があると、図１に示すように、セル１１の全域にページング信号を送信して移動局１６に対する呼出しを行う。このとき、中継装置１２，１３それぞれは無線基地局１０からページング信号が送信されるタイミングで、少なくともページング信号が送信される周波数帯域の信号を増幅して中継を行う。また、中継装置１２，１３それぞれは上記ページング信号に対し移動局からページング応答信号が送信されるタイミングで、少なくともページング応答信号が送信される周波数帯域の信号を増幅して中継を行う。
【００１４】
中継装置１３の中継エリア１５に在圏する移動局１６は、中継装置１３で中継されたページング信号を受信すると、ページング応答信号を生成して送信する。当該ページング応答信号は中継装置１３で受信される。中継装置１３は受信した当該ページング応答信号を増幅して中継する。中継された当該ページング応答信号は無線基地局１０に受信される。
【００１５】
中継装置１３は、ページング応答信号を受信したことで中継エリア１５に移動局１６が在圏することを判断できるので、図２に示すように、その後の上りリンク及び下りリンクのデータ信号や制御信号が送信されるタイミングで増幅中継動作を行う。
【００１６】
一方、中継装置１２では、ページング応答信号が受信されないことで中継エリア１４に移動局が在圏しないことを判断できるので、その後の上りリンク及び下りリンクのデータ信号が送信されるタイミングで増幅中継動作を行わない。
【００１７】
＜中継装置の第１実施形態の構成＞
図３は中継装置の第１実施形態のブロック図を示す。図３において、アンテナ２１で受信した無線基地局１０からの下りリンク信号は分配器２２を通し、下りリンクの増幅器２３，下りリンクモニタ部２４それぞれに供給される。
【００１８】
下りリンクモニタ部２４は、下りリンク信号をモニタしてデコードする。これにより、ページング信号を含む報知信号の受信タイミング及びページング応答信号の受信タイミングを認識する。なお、下りリンク信号における報知信号の存在するタイミング（サブフレーム位置）は予め決まっている。また、報知信号には、下りリンクのデータ信号を送信するタイミング（サブフレーム位置）、移動局がページング応答信号を送信するタイミング（サブフレーム位置）、移動局が上りリンクのデータ信号又はＡＣＫ／ＮＡＣＫ等のデータ受信応答信号を送信するタイミング（サブフレーム位置）の指示が含まれている。
【００１９】
下りリンクモニタ部２４はページング信号を含む報知信号の受信タイミングをＤＬ（ダウンリンク）増幅制御部２６に通知し、ページング応答信号の受信タイミングをＵＬ（アップリンク）増幅制御部３１，上りリンクモニタ部３２それぞれに通知する。
【００２０】
下りリンクモニタ部２４内にはページング検出部２５が設けられている。ページング検出部２５は報知信号に含まれているページング信号を検出し、ページング信号の検出を上りリンクモニタ部３２に通知する。また、ページング信号が検出されたときにページング信号から当該ページング信号が呼出す移動局の識別子を抽出して上りリンクモニタ部３２に通知してもよい。
【００２１】
下りリンクの増幅器２３は、ＤＬ増幅制御部２６から制御されており、下りリンク信号をＲＦ直接増幅方式で増幅する。ここで増幅された下りリンク信号は分配器２７を通し、アンテナ２８から送信される。
【００２２】
ＤＬ増幅制御部２６は、ページング信号を含む報知信号の受信タイミングで下りリンクの増幅器２３の増幅動作を行わせる。また、ＤＬ増幅制御部２６は後述のページング応答検出の通知により次の下りリンクのデータ信号受信タイミングで下りリンクの増幅器２３の増幅動作を開始させ、後述のデータ検出終了の通知により下りリンクの増幅器２３の増幅動作を終了させる。
【００２３】
更に、ＤＬ増幅制御部２６は後述の発呼要求検出の通知により次の下りリンクのデータ信号受信タイミングで下りリンクの増幅器２３の増幅動作を開始させ、後述のデータ検出終了の通知により下りリンクの増幅器２３の増幅動作を終了させる。
【００２４】
アンテナ２８で受信した移動局からの上りリンク信号は分配器２７を通し、上りリンクの増幅器３０，上りリンクモニタ部３２それぞれに供給される。
【００２５】
上りリンクモニタ部３２は上りリンク信号をモニタしてデコードする。上りリンクモニタ部３２内にはページング応答検出部３３，データ／応答検出部３４，発呼要求検出部３５が設けられている。
【００２６】
ページング応答検出部３３は、ページング検出部２５からページング信号の検出を通知されると、上りリンクにおけるページング応答信号の受信タイミングでページング応答信号の検出を行う。ページング応答検出部３３は、ページング応答信号が検出されたときにページング応答信号から当該ページング応答信号を送信した移動局の識別子を抽出することができる。そして、ページング応答検出部３３はページング応答検出をＤＬ増幅制御部２６及びＵＬ増幅制御部３１に通知する。
【００２７】
なお、ページング応答検出部３３は、ページング検出部２５から通知されたページング信号が呼出す移動局の識別子と上記ページング応答信号を送信した移動局の識別子とが一致したときにのみページング応答検出を行うようにしてもよい。これにより、ページング応答の誤った検出を防止できる。
【００２８】
データ／応答検出部３４は、上りリンクのデータ信号又はＡＣＫ／ＮＡＣＫ等のデータ受信応答信号を検出し、データ信号又はＡＣＫ／ＮＡＣＫが検出されなくなったときにデータ検出終了をＤＬ増幅制御部２６及びＵＬ増幅制御部３１に通知する。
【００２９】
発呼要求検出部３５は、移動局からのＲＡＣＨ（ランダムアクセスチャネル）を用いた発呼要求を検出し、発呼要求検出をＤＬ増幅制御部２６及びＵＬ増幅制御部３１に通知する。
【００３０】
上りリンクの増幅器３０は、ＵＬ増幅制御部３１から制御されており、上りリンク信号をＲＦ直接増幅方式で増幅する。ここで増幅された上りリンク信号は分配器２２を通し、アンテナ２１から送信される。
【００３１】
ＵＬ増幅制御部３１は、ページング応答信号の受信タイミングで上りリンクの増幅器３０の増幅動作を行わせる。また、ＵＬ増幅制御部３１はページング応答検出の通知により次の上りリンクのデータ信号受信タイミングで上りリンクの増幅器３０の増幅動作を開始させ、データ検出終了の通知により上りリンクの増幅器３０の増幅動作を終了させる。
【００３２】
更に、ＵＬ増幅制御部３１は発呼要求検出の通知により次の下りリンクのデータ信号受信タイミングで上りリンクの増幅器３０の増幅動作を開始させ、データ検出終了の通知により上りリンクの増幅器３０の増幅動作を終了させる。
【００３３】
＜ページング応答検出時の信号タイミングチャート＞
図４はページング応答検出時の信号タイミングチャートの第１実施形態を示す。図４（Ａ）は下りリンクの増幅の様子を示し、図４（Ｂ）は上りリンクの受信の様子を示し、図４（Ｃ）は上りリンクの増幅の様子を示す。図４において横軸は時間、縦軸は周波数を表しており、下りリンク及び上りリンクにおいて各ブロックはＬＴＥのサブフレーム（１ｍｓｅｃ）であり、１０サブフレームでフレームが構成されている。下りリンクの各サブフレームは、先頭部分の制御信号と、これに続くデータ信号を有している。
【００３４】
図４（Ａ）にハッチングで示すページング信号を含む報知信号ａ１が中継装置で受信される。これに対応して、図４（Ｂ）にハッチングで示すページング応答信号ａ２が中継装置で受信される。なお、中継装置では図４（Ｃ）にハッチングで示す上記ページング応答信号ａ２を受信するタイミングのサブフレームＡ３を上りリンクの増幅器３０で増幅している。
【００３５】
なお、ページング応答信号ａ２が受信される周波数リソースが定まらないものとして、図４（Ｃ）では全ての周波数帯域の増幅を行っているが、受信した報知信号ａ１からページング応答信号ａ２の周波数リソースが特定されていれば、上りリンクの増幅器３０は、その周波数のみ増幅する構成としてもよい。
【００３６】
ページング応答信号ａ２の受信により、図４（Ａ）にハッチングで示す次の下りリンクのデータ信号受信タイミングのサブフレームＡ４から、下りリンクの増幅器２３は増幅動作を開始する。
【００３７】
＜ページング応答非検出時の信号タイミングチャート＞
図５はページング応答非検出時の信号タイミングチャートの第１実施形態を示す。図５（Ａ）は下りリンクの増幅の様子を示し、図５（Ｂ）は上りリンクの受信の様子を示し、図５（Ｃ）は上りリンクの増幅の様子を示す。
【００３８】
図５（Ａ）にハッチングで示すページング信号を含む報知信号ａ１が中継装置で受信される。図５（Ｂ）に示すように、このページング信号に対応するページング応答信号は中継装置で受信されない。なお、中継装置では図５（Ｃ）にハッチングで示す上記ページング応答信号を受信するタイミングのサブフレームＡ３を上りリンクの増幅器３０で増幅している。
【００３９】
ページング応答信号が受信されないことにより、図５（Ａ）に示すように次の下りリンクのデータ信号受信タイミングのサブフレームＡ４に対して下りリンクの増幅器２３は増幅動作を行わない。また、図５（Ｃ）に示すように次の上りリンクのデータ信号受信タイミングのサブフレームに対して上りリンクの増幅器３０は増幅動作を行わない。これにより、下りリンクの増幅器２３，上りリンクの増幅器３０の消費電力を低減することができる。
【００４０】
＜ページング応答検出から増幅停止までの信号タイミングチャート＞
図６はページング応答検出から増幅停止までの信号タイミングチャートの第１実施形態を示す。図６（Ａ）は下りリンクの増幅の様子を示し、図６（Ｂ）は上りリンクの受信の様子を示し、図６（Ｃ）は上りリンクの増幅の様子を示す。
【００４１】
図６（Ａ）にハッチングで示すページング信号を含む報知信号ａ１が中継装置で受信される。これに対し、図６（Ｂ）にハッチングで示すページング応答信号ａ２が中継装置で受信される。なお、中継装置では図６（Ｃ）にハッチングで示す上記ページング応答信号ａ２を受信するタイミングのサブフレームＡ３を上りリンクの増幅器３０で増幅している。
【００４２】
ページング応答信号ａ２の受信により、図６（Ａ）にハッチングで示す次の下りリンクのデータ信号受信タイミングのサブフレームＡ４から、下りリンクの増幅器２３は増幅動作を開始する。
【００４３】
また、ページング応答信号ａ２の受信により、図６（Ｃ）にハッチングで示す次の上りリンクのデータ信号受信タイミングのサブフレームＡ５から、上りリンクの増幅器３０は増幅動作を開始する。これにより、図６（Ｂ）にハッチングで示す上りリンクのデータ信号ａ６〜ａｎが中継装置で増幅されて中継される。
【００４４】
なお、図６では次の下りリンクのデータ信号受信タイミング（サブフレームＡ４）と、次の上りリンクのデータ信号受信タイミング（サブフレームＡ５）の受信タイミングが異なっている。このため、上りリンクと下りリンクにおける増幅動作の開始タイミングが異なっているが、制御を簡略化するために下りリンクのデータ信号受信タイミングで上りリンクの増幅動作を開始してもよい。
【００４５】
ここで、ページング応答信号を受信する直前までの期間を「アイドル期間」と呼び、ページング応答信号を受信してから次の下りリンクと次の上りリンクのデータ信号を受信する直前までの期間を「増幅開始期間」と呼ぶ。この増幅開始期間までの動作は図４に示したものと同一である。
【００４６】
図６（Ａ）にハッチングで示すページング信号を含む報知信号ａ１が中継装置で受信される。これに対応して、図６（Ｂ）にハッチングで示すページング応答信号ａ２が中継装置で受信される。なお、中継装置では図６（Ｃ）にハッチングで示す上記ページング応答信号ａ２を受信するタイミングのサブフレームＡ３を上りリンクの増幅器３０で増幅している。
【００４７】
図６（Ｂ）に示す上りリンクのデータ信号ａｎの次のサブフレームＡｘに上りリンクのデータ信号がない場合、データ／応答検出部３４はデータ検出終了をＤＬ増幅制御部２６及びＵＬ増幅制御部３１に通知し、下りリンクの増幅器２３と上りリンクの増幅器３０は増幅動作を終了する。下りリンクの増幅器２３と上りリンクの増幅器３０が共に増幅動作を開始してから終了するまでの期間を「増幅期間」と呼び、下りリンクの増幅器２３と上りリンクの増幅器３０が共に増幅動作を終了して以降は「アイドル期間」となる。
【００４８】
＜増幅制御動作のフローチャート＞
図７は中継装置が実行する増幅制御動作の一実施形態のフローチャートを示す。図７において、ページング検出部２５は下りリンクのページング信号の検出を行う（ステップＳ１０）。ページング信号を検出した場合にはページング検出部２５はページング信号の検出を上りリンクモニタ部３２に通知する（ステップＳ１１）。
【００４９】
次に、ページング応答検出部３３は上りリンクのページング応答信号の検出を行う（ステップＳ１２）。ページング応答信号を検出した場合にはページング応答検出部３３はページング応答信号の検出をＤＬ増幅制御部２６及びＵＬ増幅制御部３１に通知する（ステップＳ１３）。これにより、ＤＬ増幅制御部２６は下りリンクの増幅器２３の増幅動作を開始させ、また、ＵＬ増幅制御部３１は上りリンクの増幅器３０の増幅動作を開始させる（ステップＳ１４）。
【００５０】
一方、ページング応答信号を検出できない場合にはステップＳ１２からステップＳ１０に進む。
【００５１】
次に、データ／応答検出部３４は上りリンクのデータ信号又はデータ受信応答信号（ＡＣＫ／ＮＡＣＫ）の検出を行う（ステップＳ１５）。データ／応答検出部３４はデータ信号又はデータ受信応答信号を検出した場合にはステップＳ１５を繰り返す。データ信号又はデータ受信応答信号が検出されなくなるとデータ／応答検出部３４はデータ信号終了をＤＬ増幅制御部２６及びＵＬ増幅制御部３１に通知する（ステップＳ１６）。これにより、ＤＬ増幅制御部２６は下りリンクの増幅器２３の増幅動作を終了させ、また、ＵＬ増幅制御部３１は上りリンクの増幅器３０の増幅動作を終了させる（ステップＳ１７）。この後、ステップＳ１０に進んで、ステップＳ１０〜Ｓ１７の処理を繰り返す。
【００５２】
このように、ページング応答信号が受信されない場合に、次のデータ信号受信タイミングで下りリンクの増幅器２３及び上りリンクの増幅器３０が増幅動作を行わないため、消費電力を低減することができる。また、他セルへの干渉も最小限に抑えることができる。更に、現状の信号をそのまま用いることができるので、現行サービスに適用することができ、システムに依存することのない装置となり、実用上有用である。
【００５３】
＜中継装置の第２実施形態の構成＞
図８は中継装置の第２実施形態のブロック図を示す。図８中、図３と異なる部分は、タイマ４１を設けている点である。図８において、アンテナ２１で受信した無線基地局１０からの下りリンク信号は分配器２２を通し、下りリンクの増幅器２３，下りリンクモニタ部２４それぞれに供給される。
【００５４】
下りリンクモニタ部２４は、下りリンク信号をモニタしてデコードする。これにより、ページング信号を含む報知信号の受信タイミング及びページング応答信号の受信タイミングを認識する。下りリンクモニタ部２４はページング信号を含む報知信号の受信タイミングをＤＬ増幅制御部２６に通知し、ページング応答信号の受信タイミングをＵＬ増幅制御部３１，上りリンクモニタ部３２それぞれに通知する。
【００５５】
下りリンクモニタ部２４内にはページング検出部２５が設けられている。ページング検出部２５は報知信号に含まれているページング信号を検出し、ページング検出を上りリンクモニタ部３２に通知する。また、ページング信号が検出されたときにページング信号から当該ページング信号が呼出す移動局の識別子を抽出して上りリンクモニタ部３２に通知する。
【００５６】
下りリンクの増幅器２３は、ＤＬ増幅制御部２６から制御されており、下りリンク信号をＲＦ直接増幅方式で増幅する。ここで増幅された下りリンク信号は分配器２７を通し、アンテナ２８から送信される。
【００５７】
ＤＬ増幅制御部２６は、ページング信号を含む報知信号の受信タイミングで下りリンクの増幅器２３の増幅動作を行わせる。また、ＤＬ増幅制御部２６は後述のページング応答検出の通知により次の下りリンクのデータ信号受信タイミングで下りリンクの増幅器２３の増幅動作を開始させ、後述のデータ検出終了の通知により下りリンクの増幅器２３の増幅動作を終了させる。
【００５８】
更に、ＤＬ増幅制御部２６は後述の発呼要求検出の通知により次の下りリンクのデータ信号受信タイミングで下りリンクの増幅器２３の増幅動作を開始させ、後述のデータ検出終了の通知により下りリンクの増幅器２３の増幅動作を終了させる。
【００５９】
アンテナ２８で受信した移動局からの上りリンク信号は分配器２７を通し、上りリンクの増幅器３０，上りリンクモニタ部３２それぞれに供給される。
【００６０】
上りリンクモニタ部３２は上りリンク信号をモニタしてデコードする。上りリンクモニタ部３２内にはページング応答検出部３３，データ／応答検出部３４，発呼要求検出部３５が設けられている。
【００６１】
ページング応答検出部３３は、ページング検出部２５からページング検出を通知されると、上りリンクにおけるページング応答信号の受信タイミングでページング応答信号の検出を行う。ページング応答検出部３３は、ページング応答信号が検出されたときにページング応答信号から当該ページング応答信号を送信した移動局の識別子を抽出することができる。そして、ページング応答検出部３３はページング応答検出をＤＬ増幅制御部２６及びＵＬ増幅制御部３１に通知する。
【００６２】
データ／応答検出部３４は、上りリンクのデータ信号又はＡＣＫ／ＮＡＣＫ等のデータ受信応答信号を検出し、データ信号又はＡＣＫ／ＮＡＣＫが検出されなくなったときにデータ検出終了を示す信号をタイマ４１に供給する。タイマ４１はデータ検出終了を示す信号が所定時間（例えば数ｍｓｅｃ〜数ｓｅｃ程度）連続したときにデータ検出完了をＤＬ増幅制御部２６及びＵＬ増幅制御部３１に通知する。
【００６３】
発呼要求検出部３５は、移動局からのＲＡＣＨを用いた発呼要求を検出し、発呼要求検出をＤＬ増幅制御部２６及びＵＬ増幅制御部３１に通知する。
【００６４】
上りリンクの増幅器３０は、ＵＬ増幅制御部３１から制御されており、上りリンク信号をＲＦ直接増幅方式で増幅する。ここで増幅された上りリンク信号は分配器２２を通し、アンテナ２１から送信される。
【００６５】
ＵＬ増幅制御部３１は、ページング応答信号の受信タイミングで上りリンクの増幅器３０の増幅動作を行わせる。また、ＵＬ増幅制御部３１はページング応答検出の通知により次の上りリンクのデータ信号受信タイミングで上りリンクの増幅器３０の増幅動作を開始させ、データ検出完了の通知により上りリンクの増幅器３０の増幅動作を終了させる。
【００６６】
更に、ＵＬ増幅制御部３１は発呼要求検出の通知により次の下りリンクのデータ信号受信タイミングで上りリンクの増幅器３０の増幅動作を開始させ、データ検出完了の通知により上りリンクの増幅器３０の増幅動作を終了させる。
【００６７】
＜ページング応答検出から増幅停止までの信号タイミングチャート＞
図９はページング応答検出から増幅停止までの信号タイミングチャートの第２実施形態を示す。図９（Ａ）は下りリンクの増幅の様子を示し、図９（Ｂ）は上りリンクの受信の様子を示し、図９（Ｃ）は上りリンクの増幅の様子を示す。
【００６８】
図９（Ａ）にハッチングで示すページング信号を含む報知信号ａ１が中継装置で受信される。これに対し、図９（Ｂ）にハッチングで示すページング応答信号ａ２が中継装置で受信される。なお、中継装置では図９（Ｃ）にハッチングで示す上記ページング応答信号ａ２を受信するタイミングのサブフレームＡ３を上りリンクの増幅器３０で増幅している。
【００６９】
ページング応答信号ａ２の受信により、図９（Ａ）にハッチングで示す次の下りリンクのデータ信号受信タイミングのサブフレームＡ４から、下りリンクの増幅器２３は増幅動作を開始する。
【００７０】
また、ページング応答信号ａ２の受信により、図９（Ｃ）にハッチングで示す次の上りリンクのデータ信号受信タイミングのサブフレームＡ５から、上りリンクの増幅器３０は増幅動作を開始する。
【００７１】
なお、図９では次の下りリンクのデータ信号受信タイミング（サブフレームＡ４）と、次の上りリンクのデータ信号受信タイミング（サブフレームＡ５）の受信タイミングが異なっている。このため、上りリンクと下りリンクにおける増幅動作の開始タイミングが異なっているが、制御を簡略化するために下りリンクのデータ信号受信タイミングで上りリンクの増幅動作を開始してもよい。
【００７２】
ここで、ページング応答信号を受信する直前までの期間を「アイドル期間」と呼び、ページング応答信号を受信してから次の下りリンクと次の上りリンクのデータ信号を受信する直前までの期間を「増幅開始期間」と呼ぶ。
【００７３】
図９（Ａ）にハッチングで示すページング信号を含む報知信号ａ１が中継装置で受信される。これに対し、図９（Ｂ）にハッチングで示すページング応答信号ａ２が中継装置で受信される。なお、中継装置では図９（Ｃ）にハッチングで示す上記ページング応答信号ａ２を受信するタイミングのサブフレームＡ３を上りリンクの増幅器３０で増幅している。
【００７４】
図９（Ｂ）に示す上りリンクのデータ信号ａｎの次のサブフレームＡｘに上りリンクのデータ信号がない場合、データ／応答検出部３４はデータ検出終了をタイマ４１に通知する。下りリンクの増幅器２３と上りリンクの増幅器３０が共に増幅動作を開始してからデータ検出終了までの期間を「増幅期間」と呼ぶ。その後、データ検出終了を示す信号が所定時間を超えてタイマ４１がデータ検出完了を通知する期間（サブフレームＡｘ〜Ａｙ）は下りリンクの増幅器２３と上りリンクの増幅器３０が共に増幅動作を行っており、上記期間（サブフレームＡｘ〜Ａｙ）を「増幅停止タイマ期間」と呼ぶ。この後、下りリンクの増幅器２３と上りリンクの増幅器３０が共に増幅動作を終了して以降は「アイドル期間」となる。
【００７５】
この実施形態では、データ／応答検出部３４の検出精度が低く、誤ったデータ検出終了を示す信号を出力したとしても、誤って下りリンクの増幅器２３と上りリンクの増幅器３０が増幅動作を停止することを防止できる。
【００７６】
＜中継装置の第３実施形態の構成＞
図１０は中継装置の第３実施形態のブロック図を示す。図１０中、図８と異なる部分は、バッファ４６を併設したページング検出部４５と、バッファ４８を併設したページング応答検出部４７を設けている点である。図１０において、アンテナ２１で受信した無線基地局１０からの下りリンク信号は分配器２２を通し、下りリンクの増幅器２３，下りリンクモニタ部２４それぞれに供給される。
【００７７】
下りリンクモニタ部２４は、下りリンク信号をモニタしてデコードする。これにより、ページング信号を含む報知信号の受信タイミング及びページング応答信号の受信タイミングを認識する。下りリンクモニタ部２４はページング信号を含む報知信号の受信タイミングをＤＬ増幅制御部２６に通知し、ページング応答信号の受信タイミングをＵＬ増幅制御部３１，上りリンクモニタ部３２それぞれに通知する。
【００７８】
下りリンクモニタ部２４内にはページング検出部４５が設けられている。ページング検出部４５は報知信号に含まれているページング信号を検出し、ページング信号が検出されたときにページング信号から当該ページング信号が呼出す移動局の識別子を抽出してバッファ４６に保持する。そして、ページング検出部４５はページング信号を検出したときにページング検出を上りリンクモニタ部３２に通知する。
【００７９】
なお、ページング検出部４５はページング信号から抽出した移動局の識別子が複数回（例えば数回）連続して同一であるときページング検出を上りリンクモニタ部３２に通知する構成としてもよい。
【００８０】
下りリンクの増幅器２３は、ＤＬ増幅制御部２６から制御されており、下りリンク信号をＲＦ直接増幅方式で増幅する。ここで増幅された下りリンク信号は分配器２７を通し、アンテナ２８から送信される。
【００８１】
ＤＬ増幅制御部２６は、ページング信号を含む報知信号の受信タイミングで下りリンクの増幅器２３の増幅動作を行わせる。また、ＤＬ増幅制御部２６は後述のページング応答検出の通知により次の下りリンクのデータ信号受信タイミングで下りリンクの増幅器２３の増幅動作を開始させ、後述のデータ検出完了の通知により下りリンクの増幅器２３の増幅動作を終了させる。
【００８２】
更にＤＬ増幅制御部２６は後述の発呼要求検出の通知により次の下りリンクのデータ信号受信タイミングで下りリンクの増幅器２３の増幅動作を開始させ、後述のデータ検出完了の通知により下りリンクの増幅器２３の増幅動作を終了させる。
【００８３】
アンテナ２８で受信した移動局からの上りリンク信号は分配器２７を通し、上りリンクの増幅器３０，上りリンクモニタ部３２それぞれに供給される。
【００８４】
上りリンクモニタ部３２は上りリンク信号をモニタしてデコードする。上りリンクモニタ部３２内にはページング応答検出部４７，データ／応答検出部３４，発呼要求検出部３５が設けられている。
【００８５】
ページング応答検出部４７は、ページング検出部４５からページング検出を通知されると、上りリンクにおけるページング応答信号の受信タイミングでページング応答信号の検出を行う。ページング応答検出部４７は、ページング応答信号が検出されたときにページング応答信号から当該ページング応答信号を送信した移動局の識別子を抽出してバッファ４８に保持する。そして、ページング応答検出部４７は、ページング応答信号から抽出した移動局の識別子が複数回（例えば数回）連続して同一であるときページング応答検出をＤＬ増幅制御部２６及びＵＬ増幅制御部３１に通知する。
【００８６】
データ／応答検出部３４は、上りリンクのデータ信号又はＡＣＫ／ＮＡＣＫ等のデータ受信応答信号を検出し、データ信号又はＡＣＫ／ＮＡＣＫが検出されなくなったときにデータ検出終了を示す信号をタイマ４１に供給する。タイマ４１はデータ検出終了を示す信号が所定時間（例えば数ｍｓｅｃ〜数ｓｅｃ程度）持続したときにデータ検出完了をＤＬ増幅制御部２６及びＵＬ増幅制御部３１に通知する。
【００８７】
発呼要求検出部３５は、移動局からのＲＡＣＨを用いた発呼要求を検出し、発呼要求検出をＤＬ増幅制御部２６及びＵＬ増幅制御部３１に通知する。
【００８８】
上りリンクの増幅器３０は、ＵＬ増幅制御部３１から制御されており、上りリンク信号をＲＦ直接増幅方式で増幅する。ここで増幅された上りリンク信号は分配器２２を通し、アンテナ２１から送信される。
【００８９】
ＵＬ増幅制御部３１は、ページング応答信号の受信タイミングで上りリンクの増幅器３０の増幅動作を行わせる。また、ＵＬ増幅制御部３１はページング応答検出の通知により次の上りリンクのデータ信号受信タイミングで上りリンクの増幅器３０の増幅動作を開始させ、データ検出完了の通知により上りリンクの増幅器３０の増幅動作を終了させる。
【００９０】
更に、ＵＬ増幅制御部３１は発呼要求検出の通知により次の下りリンクのデータ信号受信タイミングで上りリンクの増幅器３０の増幅動作を開始させ、データ検出完了の通知により上りリンクの増幅器３０の増幅動作を終了させる。
【００９１】
＜ページング応答検出から増幅停止までの信号タイミングチャート＞
図１１はページング応答検出から増幅停止までの信号タイミングチャートの第３実施形態を示す。図１１（Ａ）は下りリンクの増幅の様子を示し、図１１（Ｂ）は上りリンクの受信の様子を示し、図１１（Ｃ）は上りリンクの増幅の様子を示す。
【００９２】
図１１（Ａ）にハッチングで示すページング信号を含む報知信号ａ１ａが中継装置で受信される。これに対し、図１１（Ｂ）にハッチングで示すページング応答信号ａ２ａが中継装置で受信される。なお、中継装置では図１１（Ｃ）にハッチングで示す上記ページング応答信号ａ２ａを受信するタイミングのサブフレームＡ３ａを上りリンクの増幅器３０で増幅している。
【００９３】
更に、図１１（Ａ）にハッチングで示すページング信号を含む報知信号ａ１ｂが中継装置で受信される。これに対し、図１１（Ｂ）にハッチングで示すページング応答信号ａ２ｂが中継装置で受信される。なお、中継装置では図１１（Ｃ）にハッチングで示す上記ページング応答信号ａ２ｂを受信するタイミングのサブフレームＡ３ｂを上りリンクの増幅器３０で増幅している。
【００９４】
２回目のページング応答信号ａ２ｂの受信により、図１１（Ａ）にハッチングで示す次の下りリンクのデータ信号受信タイミングのサブフレームＡ４から、下りリンクの増幅器２３は増幅動作を開始する。
【００９５】
また、ページング応答信号ａ２ｂの受信により、図１１（Ｃ）にハッチングで示す次の上りリンクのデータ信号受信タイミングのサブフレームＡ５から、上りリンクの増幅器３０は増幅動作を開始する。これにより、図１１（Ｂ）にハッチングで示す上りリンクのデータ信号ａ６〜ａｎが中継装置で増幅されて中継される。
【００９６】
なお、図１１では次の下りリンクのデータ信号受信タイミング（サブフレームＡ４）と、次の上りリンクのデータ信号受信タイミング（サブフレームＡ５）の受信タイミングが異なっている。このため、上りリンクと下りリンクにおける増幅動作の開始タイミングが異なっているが、制御を簡略化するために下りリンクのデータ信号受信タイミングで上りリンクの増幅動作を開始してもよい。
【００９７】
ここで、１回目のページング応答信号を受信する直前までの期間を「アイドル期間」と呼ぶ。ページング応答信号を１回目に受信してからページング応答信号を複数回（図１１（Ｃ）では２回）受信する直前までの期間を「バッファ確認期間」と呼ぶ。また、ページング応答信号を複数回受信してから次の下りリンクと次の上りリンクのデータ信号を受信する直前までの期間を「増幅開始期間」と呼ぶ。
【００９８】
図１１（Ａ）にハッチングで示すページング信号を含む報知信号ａ１ａ，ａ１ｂが中継装置で受信される。これに対し、図１１（Ｂ）にハッチングで示すページング応答信号ａ２ａ，ａ２ｂが中継装置で受信される。なお、中継装置では図１１（Ｃ）にハッチングで示す上記ページング応答信号ａ２ａ，ａ２ｂを受信するタイミングのサブフレームＡ３ａ，Ａ３ｂを上りリンクの増幅器３０で増幅している。
【００９９】
図１１（Ｂ）に示す上りリンクのデータ信号ａｎの次のサブフレームＡｘに上りリンクのデータ信号がない場合、データ／応答検出部３４はデータ検出終了をＤＬ増幅制御部２６及びＵＬ増幅制御部３１に通知する。これにより、下りリンクの増幅器２３と上りリンクの増幅器３０は増幅動作を終了する。下りリンクの増幅器２３と上りリンクの増幅器３０が共に増幅動作を開始してから終了するまでの期間を「増幅期間」と呼ぶ。
【０１００】
その後、データ検出終了を示す信号が所定時間を超えてタイマ４１がデータ検出完了を通知する期間（サブフレームＡｘ〜Ａｙ）は下りリンクの増幅器２３と上りリンクの増幅器３０が共に増幅動作を行っており、上記期間（サブフレームＡｘ〜Ａｙ）を「増幅停止タイマ期間」と呼ぶ。この後、下りリンクの増幅器２３と上りリンクの増幅器３０が共に増幅動作を終了して以降は「アイドル期間」となる。
【０１０１】
この実施形態では、ページング信号を誤って受信した場合に、誤って下りリンクの増幅器２３と上りリンクの増幅器３０が増幅動作を開始することを防止でき、不要な増幅動作を行うことを低減することが可能となる。なお、この実施形態ではタイマ４１を設けているが、タイマ４１を設けない構成としても良い。
【０１０２】
なお、上記実施形態では、ＬＴＥを例にして説明したが、現行の３Ｇ（３ｒｄ  Ｇｅｎｅｒａｔｉｏｎ）、無線ＬＡＮ等の他方式の無線通信システムにも適用でき、上記実施形態に限定されるものではない。
【０１０３】
上記実施形態では、下りリンク増幅手段の一例として増幅器２３を用い、上りリンク増幅手段の一例として増幅器３０を用い、呼出し応答信号検出手段の一例としてページング応答検出部３３，４７を用い、増幅制御手段の一例としてＤＬ増幅制御部２６，ＵＬ増幅制御部３１を用い、報知信号検出手段の一例として下りリンクモニタ部２４を用い、データ／応答検出手段の一例としてデータ／応答検出部３４を用いている。
【０１０４】
また、上記実施形態では、ＲＦ直接増幅方式の中継装置を例として説明したが、データ信号を復調・復号して再度符号化・変調を行ってから中継を行う再生中継方式（Ｄｅｃｏｄｅ−ａｎｄ−Ｆｏｒｗａｒｄ）の中継装置を用いて同様の制御を行ってもよい。
（付記１）
基地局と移動局間の信号を無線で中継する中継装置において、
前記基地局から前記移動局への下りリンクの信号を増幅する下りリンク増幅手段と、
前記移動局から前記基地局への上りリンクの信号を増幅する上りリンク増幅手段と、
移動局を呼出すための呼出し信号に対して移動局が応答する呼出し応答信号を検出する呼出し応答信号検出手段と、
前記呼出し応答信号検出手段で呼出し応答信号を検出した場合に前記下りリンク増幅手段と前記上りリンク増幅手段の増幅制御を開始する増幅制御手段と、
を有することを特徴とする中継装置。
（付記２）
付記１記載の中継装置において、
前記移動局を呼出すための呼出し信号を含む報知信号を検出する報知信号検出手段を有し、
前記増幅制御手段は、検出した報知信号の情報に基づいて、前記呼出し信号の受信タイミングで前記下りリンク増幅手段を動作させ、前記呼出し応答信号の受信タイミングで前記上りリンク増幅手段を動作させる
ことを特徴とする中継装置。
（付記３）
付記２記載の中継装置において、
上りリンクのデータ信号又はデータ受信応答信号を検出するデータ／応答検出手段を有し、
前記増幅制御手段は、前記上りリンクのデータ信号又はデータ受信応答信号の検出が終了したとき前記下りリンク増幅手段と前記上りリンク増幅手段の増幅動作を停止させる
ことを特徴とする中継装置。
（付記４）
付記３記載の中継装置において、
前記データ／応答検出手段が前記上りリンクのデータ信号又はデータ受信応答信号の検出が終了してからの期間を計時する計時手段を有し、
前記増幅制御手段は、前記計時手段で計時した期間が所定期間を超えたとき前記下りリンク増幅手段と前記上りリンク増幅手段の増幅動作を停止させる
ことを特徴とする中継装置。
（付記５）
付記３又は４記載の中継装置において、
前記呼出し応答信号検出手段で検出した呼出し応答信号から抽出した該呼出し応答信号を送信した移動局の識別子を保持する保持手段を有し、
前記増幅制御手段は、前記呼出し応答信号を送信した移動局の識別子が複数回連続して同一であるとき前記下りリンク増幅手段と前記上りリンク増幅手段の増幅動作を開始させることを特徴とする中継装置。
（付記６）
基地局から移動局への下りリンクの信号を下りリンク増幅手段で増幅し、前記移動局から前記基地局への上りリンクの信号を上りリンク増幅手段で増幅して、前記基地局と前記移動局間の信号を無線で中継する中継方法であって、
移動局を呼出すための呼出し信号に対して移動局が応答する呼出し応答信号を検出し、
前記呼出し応答信号を検出した場合に、前記下りリンク増幅手段と前記上りリンク増幅手段の増幅制御を開始する
ことを特徴とする中継方法。
（付記７）
付記６記載の中継方法において、
前記移動局を呼出すための呼出し信号を含む報知信号を検出し、
検出した報知信号の情報に基づいて、前記呼出し信号の受信タイミングで前記下りリンク増幅手段を動作させ、前記呼出し応答信号の受信タイミングで前記上りリンク増幅手段を動作させる
ことを特徴とする中継方法。
（付記８）
付記７記載の中継方法において、
上りリンクのデータ信号又はデータ受信応答信号を検出し、
前記上りリンクのデータ信号又はデータ受信応答信号の検出が終了したとき前記下りリンク増幅手段と前記上りリンク増幅手段の増幅動作を停止させる
ことを特徴とする中継方法。
（付記９）
付記８記載の中継方法において、
前記上りリンクのデータ信号又はデータ受信応答信号の検出が終了してからの期間を計時し、
計時した期間が所定期間を超えたとき前記下りリンク増幅手段と前記上りリンク増幅手段の増幅動作を停止させる
ことを特徴とする中継方法。
（付記１０）
付記８又は９記載の中継方法において、
検出した呼出し応答信号から抽出した該呼出し応答信号を送信した移動局の識別子を保持し、
前記呼出し応答信号を送信した移動局の識別子が複数回連続して同一であるとき前記下りリンク増幅手段と前記上りリンク増幅手段の増幅動作を開始させる
ことを特徴とする中継方法。
【符号の説明】
【０１０５】
１０  無線基地局
１１  セル
１２，１３  中継装置
１４，１５  中継エリア
１６  移動局
２１，２８  アンテナ
２２，２７  分配器
２３  下りリンクの増幅器
２４  下りリンクモニタ部
２５，４５  ページング検出部
２６  ＤＬ増幅制御部
３０  上りリンクの増幅器
３１  ＵＬ増幅制御部
３２  上りリンクモニタ部
３３，４７  ページング応答検出部
３４  データ／応答検出部
３５  発呼要求検出部
４１  タイマ
４６，４８  バッファ
【図１】
2010226655.tif 000003
【図２】
2010226655.tif 000004
【図３】
2010226655.tif 000005
【図４】
2010226655.tif 000006
【図５】
2010226655.tif 000007
【図６】
2010226655.tif 000008
【図７】
2010226655.tif 000009
【図８】
2010226655.tif 000010
【図９】
2010226655.tif 000011
【図１０】
2010226655.tif 000012
【図１１】
2010226655.tif 000013